(57)【要約】【課題】全体がむらなく光るように見える照明器具を提供する。【解決手段】照明器具Ａは開口１ａを有する器具本体１と、器具本体１の内部に開口１ａに沿って並設された２灯の直管形蛍光ランプ２ａ，２ｂと、器具本体１の開口１ａに取り付けられるルーバ３とを備える。ルーバ３は、直管形蛍光ランプ２ａ，２ｂに対して隣接する直管形蛍光ランプ２ｂ，２ａと反対側に配置され、直管形蛍光ランプ２ａ，２ｂからの光を前方に反射する第１反射面３ａと、直管形蛍光ランプ２ａ，２ｂの間に配置され、直管形蛍光ランプ２ａ，２ｂからの光をそれぞれ前方に反射する第２反射面３ｂとを有し、照明範囲内の人物から第１及び第２反射面３ａ，３ｂの複数の反射面が視認可能であって、これら複数の反射面によるランプ光の反射角度が異なっており、これら複数の反射面の明るさのばらつきが少なくなるように複数の反射面の拡散性を異ならせてある。【選択図】      図１
2004200080.tif 000002
【特許請求の範囲】
【請求項１】
器具本体に並設された複数の直管形蛍光ランプと、複数の直管形蛍光ランプの前方に配置されるようにして器具本体に取着されるルーバとを備え、前記ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、前記複数の反射面の明るさのばらつきが少なくなるように前記複数の反射面の拡散性を異ならせたことを特徴とする照明器具。
【請求項２】
前記複数の反射面の表面粗さを異ならせることで拡散性を異ならせたことを特徴とする請求項１記載の照明器具。
【請求項３】
器具本体に並設された複数の直管形蛍光ランプと、複数の直管形蛍光ランプの前方に配置されるようにして器具本体に取着されるルーバとを備え、前記ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、前記複数の反射面の明るさのばらつきが少なくなるように前記複数の反射面の反射率を異ならせたことを特徴とする照明器具。
【請求項４】
前記複数の反射面の表面の材料を異ならせることで反射率を異ならせたことを特徴とする請求項３記載の照明器具。
【請求項５】
前記複数の直管形蛍光ランプから後方に放射される光を前方に反射する反射板を器具本体に設け、該反射板と前記第１及び第２反射面との間の隙間が小さくなるように前記反射板を配置したことを特徴とする請求項１乃至請求項４の何れか１つに記載の照明器具。
【発明の詳細な説明】
【０００１】
【発明の属する技術分野】
本発明は、ルーバを備えた照明器具に関するものである。
【０００２】
【従来の技術】
従来より、直管形蛍光ランプが装着される器具本体を備えた照明器具が提供されている（例えば特許文献１、２参照）。
【０００３】
また、図６に示すように開口１ａを有する器具本体１と、器具本体１の内部に開口１ａに沿って並設された２灯の直管形蛍光ランプ２ａ，２ｂと、器具本体１の開口１ａに取り付けられるルーバ３とを備えた照明器具Ａも提供されている。
【０００４】
【特許文献１】
特開２００１−６４３１号公報（段落番号［００１８］−［００２１］、及び、第１図）
【特許文献２】
特開２００１−３５１４２２号公報（段落番号［００１１］−［００１９］、及び、第１図）
【０００５】
【発明が解決しようとする課題】
上述した照明器具Ａのルーバ３は、各々の直管形蛍光ランプ２ａ，２ｂに対して隣接する直管形蛍光ランプ２ｂ，２ａと反対側に配置され、各々の直管形蛍光ランプ２ａ，２ｂからの光を前方に反射する第１反射面３ａと、２灯の直管形蛍光ランプ２ａ，２ｂの間に配置され、２灯の直管形蛍光ランプ２ａ，２ｂからの光をそれぞれ前方に反射する第２反射面３ｂとを有しており、照明範囲内にいる人物から照明器具Ａを見たときに第１及び第２反射面３ａ，３ｂの複数の反射面が視認可能になっている。
【０００６】
このような照明器具Ａでは、ある方向から照明器具Ａを見たときに第１及び第２反射面３ａ，３ｂの複数の反射面が視認可能になっているが、器具本体１の形状などの制約によって上記複数の反射面によるランプ光の反射角度が異なる場合がある。例えば図６に示す照明器具では、蛍光ランプ２ａからのランプ光が第１反射面３ａに当たると浅い反射角で反射し、蛍光ランプ２ｂからのランプ光が第２反射面３ｂに当たると深い反射角で反射する。このように複数の反射面でランプ光の反射角度が異なっているが、従来の照明器具では各反射面の反射率や拡散性が略同じになっているので、この照明器具Ａを右斜め下側の点Ｐにいる人物が見ると、ルーバ３の第１反射面３ａは明るく見え、第２反射面３ｂは暗く見えることになり、全体として明るさにむらが生じ、ユーザに違和感を与えるという問題があった。
【０００７】
本発明は上記問題点に鑑みて為されたものであり、その目的とするところは、全体がむらなく光るように見える照明器具を提供することにある。
【０００８】
【課題を解決するための手段】
上記目的を達成するために、請求項１の発明では、器具本体に並設された複数の直管形蛍光ランプと、複数の直管形蛍光ランプの前方に配置されるようにして器具本体に取着されるルーバとを備え、ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、複数の反射面の明るさのばらつきが少なくなるように複数の反射面の拡散性を異ならせたことを特徴とする。
【０００９】
請求項２の発明では、請求項１の発明において、複数の反射面の表面粗さを異ならせることで拡散性を異ならせたことを特徴とする。
【００１０】
請求項３の発明では、請求項１の発明において、器具本体に並設された複数の直管形蛍光ランプと、複数の直管形蛍光ランプの前方に配置されるようにして器具本体に取着されるルーバとを備え、ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、複数の反射面の明るさのばらつきが少なくなるように複数の反射面の反射率を異ならせたことを特徴とする。
【００１１】
請求項４の発明では、請求項３の発明において、複数の反射面の表面の材料を異ならせることで反射率を異ならせたことを特徴とする。
【００１２】
請求項５の発明では、請求項１乃至請求項４の何れか１つの発明において、複数の直管形蛍光ランプから後方に放射される光を前方に反射する反射板を器具本体に設け、該反射板と第１及び第２反射面との間の隙間が小さくなるように反射板を配置したことを特徴とする。
【００１３】
【発明の実施の形態】
本発明の実施の形態を図面に基づいて説明する。
【００１４】
（実施形態１）
本発明の実施形態１を図１〜図４に基づいて説明する。図１は本実施形態の照明器具Ａの断面図、図３は照明器具Ａの分解斜視図、図４は照明器具Ａの外観斜視図である。この照明器具Ａは、下面が開口した箱形の器具本体１と、器具本体１の内部に開口１ａに沿って並設された２灯の直管形蛍光ランプ２ａ，２ｂと、器具本体１の開口１ａに取り付けられる配光制御用のルーバ３と、２灯の直管形蛍光ランプ２ａ，２ｂから開口１ａと反対側（後方）に放射された光を開口１ａ側（前方）に反射する反射板４とを備えている。
【００１５】
ルーバ３は、各々の直管形蛍光ランプ２ａ，２ｂに対して隣接する直管形蛍光ランプ２ｂ，２ａと反対側に配置され、各々の直管形蛍光ランプ２ａ，２ｂからの光を前方に反射する第１反射面３ａと、２灯の直管形蛍光ランプ２ａ，２ｂの間に配置され、２灯の直管形蛍光ランプ２ａ，２ｂからの光それぞれ前方に反射する第２反射面３ｂと、蛍光ランプ２ａ，２ｂの長手方向に沿って所定の間隔で並設された複数の横板３ｃとが一体に形成された四角枠状であって、ルーバ３の下部周縁からは側方に向かって鍔３ｄが延出しており、照明範囲内にいる人物から照明器具Ａを見たときに第１及び第２反射面３ａ，３ｂの複数の反射面が視認可能であって、複数の反射面によるランプ光の反射角度がそれぞれ異なっている。
【００１６】
例えば図１に示すように、照明器具Ａを右斜め下側の点Ｐから見上げた場合、ルーバ３の第１反射面３ａと第２反射面３ｂの２面が見えることになる。ここで、第１反射面３ａの傾きは、第２反射面３ｂの傾きに比べて大きくなっているので、第１及び第２反射面３ａ，３ｂの拡散性（正反射率）が同じであれば、第１反射面３ａではランプ光が浅い角度で反射され、第２反射面３ｂではランプ光が深い角度で反射されることになり、点Ｐにいる人物からは第１反射面３ａに比べて第２反射面３ｂが暗く見えることになり、器具全体の明るさにむらが生じることになる。
【００１７】
このような明るさのむらを無くすため、本実施形態では第１及び第２反射面３ａ，３ｂの明るさのばらつきが少なくなるように、第１及び第２反射面３ａ，３ｂの拡散性を異ならせている。
【００１８】
例えば本実施形態では第１及び第２反射面３ａ，３ｂの表面粗さを異ならせることによってその拡散性を異ならせており、図２（ａ）（ｂ）に示すように第１反射面３ａの表面を平坦に形成するとともに、第２反射面３ｂの表面に凹凸を形成して粗面とすることで、第１反射面３ａに比べて第２反射面３ｂの拡散性を大きくしている。而して、第１反射面３ａの表面で反射された光イは浅い角度で反射され、第２反射面３ｂでは正反射で反射される光ロ以外に様々な方向に光が反射することになり、第２反射面３ｂによって第１反射面３ａで反射された光イと同じ方向に光が反射されることになるから、点Ｐにいる人物から見たときに第１反射面３ａと第２反射面３ｂとの明るさのばらつきを小さくでき、全体をむらなく光らせることができる。
【００１９】
（実施形態２）
上述した実施形態１では、第１反射面３ａと第２反射面３ｂとの拡散性を異ならせることによって第１及び第２反射面３ａ，３ｂの明るさのばらつきを少なくしているが、本実施形態では第１反射面３ａと第２反射面３ｂとの反射率を異ならせることによって第１及び第２反射面３ａ，３ｂの明るさのばらつきを少なくしている。尚、照明器具Ａの構成は実施形態１と同様であるので、図示及び説明は省略する。
【００２０】
本実施形態では第１反射面３ａと第２反射面３ｂとの反射率を異ならせるために、第１及び第２反射面３ａ，３ｂの表面の材料を異ならせている。すなわち、第１及び第２反射面３ａ，３ｂはルーバ３の表面に金属を蒸着することによって形成されるのであるが、本実施形態では第１反射面３ａの表面に蒸着した金属（例えばアルミニウム）に比べて反射率の高い金属（例えば銀）を第２反射面３ｂの表面に蒸着しており、第２反射面３ｂで反射される光を第１反射面３ａで反射される光よりも多くすることで、第１反射面３ａと第２反射面３ｂとの明るさのばらつきを小さくでき、全体をむらなく光らせることができる。
【００２１】
ところで、上述した各実施形態では第１反射面３ａと第２反射面３ｂとの明るさのばらつきを少なくするために、第２反射面３ｂの拡散反射率を第１反射面３ａの拡散反射率よりも高くしたり、第２反射面３ｂの反射率よりも第１反射面３ａの反射率を低くしているので、器具全体の光取り出し効率が低下する虞があるが、図５のＣ部のように第１及び第２反射面３ａ，３ｂと反射板４との間の隙間が小さくなるようにルーバ３を配置しているので、第１及び第２反射面３ａ，３ｂと反射板４との間の隙間に進入するランプ光を少なくして、器具全体の効率が低下するのを防止できる。
【００２２】
また、上述の各実施形態では２灯の直管形蛍光ランプ２ａ，２ｂを器具本体１に装着しているが、直管形蛍光ランプ２ａ，２ｂの本数を２灯に限定する趣旨のものではなく、３灯以上の直管形蛍光ランプを並設するようにしても良い。この場合は照明範囲内の人物から第１の反射面３ａと複数の第２反射面３ｂとが視認可能であって、視認可能な複数の反射面３ａ，３ｂによる光の反射角度がそれぞれ異なっているので、複数の反射面３ａ，３ｂの明るさのばらつきが少なくなるように、複数の反射面３ａ，３ｂの拡散性或いは反射率の何れかを異ならせればよい。
【００２３】
【発明の効果】
上述のように、請求項１の発明は、器具本体に並設された複数の直管形蛍光ランプと、複数の直管形蛍光ランプの前方に配置されるようにして器具本体に取着されるルーバとを備え、ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、複数の反射面の明るさのばらつきが少なくなるように複数の反射面の拡散性を異ならせたことを特徴とし、複数の反射面の拡散性を異ならせることで複数の反射面の明るさのばらつきを少なくしているので、全体がむらなく光るように見える照明器具を実現できる。
【００２４】
請求項２の発明は、請求項１の発明において、複数の反射面の表面粗さを異ならせることで拡散性を異ならせたことを特徴とし、請求項１の発明と同様の効果を奏する。
【００２５】
請求項３の発明は、請求項１の発明において、器具本体に並設された複数の直管形蛍光ランプと、複数の直管形蛍光ランプの前方に配置されるようにして器具本体に取着されるルーバとを備え、ルーバは、両端の直管形蛍光ランプに対して隣接する直管形蛍光ランプと反対側に配置され、両端の直管形蛍光ランプからの光を前方に反射する第１反射面と、隣接する２灯の直管形蛍光ランプの間に配置され、隣接する２灯の直管形蛍光ランプからの光をそれぞれ前方に反射する第２反射面とを有し、照明範囲内の人物から第１の反射面と少なくとも１つの第２反射面とが視認可能であって、視認可能な複数の反射面による光の反射角度が異なっている照明器具において、複数の反射面の明るさのばらつきが少なくなるように複数の反射面の反射率を異ならせたことを特徴とし、複数の反射面の反射率を異ならせることで複数の反射面の明るさのばらつきを少なくしているので、全体がむらなく光るように見える照明器具を実現できる。
【００２６】
請求項４の発明は、請求項３の発明において、複数の反射面の表面の材料を異ならせることで反射率を異ならせたことを特徴とし、請求項３の発明と同様の効果を奏する。
【００２７】
請求項５の発明は、請求項１乃至請求項４の何れか１つの発明において、複数の直管形蛍光ランプから後方に放射される光を前方に反射する反射板を器具本体に設け、該反射板と第１及び第２反射面との間の隙間が小さくなるように反射板を配置したことを特徴とし、第１及び第２反射面と反射板との間の隙間に進入する光を少なくして、前方に照射される光を多くし、器具全体の発光効率を高めることができる。
【図面の簡単な説明】
【図１】本実施形態の照明器具の断面図である。
【図２】（ａ）（ｂ）はルーバの反射面を拡大した断面図である。
【図３】同上の分解斜視図である。
【図４】同上の外観斜視図である。
【図５】同上の断面図である。
【図６】従来の照明器具の断面図である。
【符号の説明】
Ａ    照明器具
１    器具本体
１ａ  開口
２ａ，２ｂ  直管形蛍光ランプ
３    ルーバ
３ａ  第１反射面
３ｂ  第２反射面
【図１】
2004200080.tif 000003
【図２】
2004200080.tif 000004
【図３】
2004200080.tif 000005
【図４】
2004200080.tif 000006
【図５】
2004200080.tif 000007
【図６】
2004200080.tif 000008